(57)【要約】【課題】小型で高い耐衝撃性を備えた照明手段を搭載したネットワークカメラにおいて、照明光の一部が遮光されることを防ぐことで、撮影映像における照射ムラを抑え、映像品質を向上させること。【解決手段】レンズ鏡筒ユニットと、透明状のドームカバーと、前記レンズ鏡筒ユニットの周囲かつ前記ドームカバーに内包される少なくとも１つの照明手段を実装したプリント基板と、前記レンズ鏡筒ユニットと前記照明手段の間に配設され、かつ、前記ドームカバーに当接する略円環状に形成された遮光部材と、を備えた撮像装置において、前記遮光部材は、前記照明手段を内包し、かつ、前記照明手段の照射方向に開口部を有することを特徴とする。【選択図】図１
2017163302.tif 000002
【特許請求の範囲】
【請求項１】
レンズ鏡筒ユニットと、透明状のドームカバーと、前記レンズ鏡筒ユニットの周囲かつ前記ドームカバーに内包される少なくとも１つの照明手段を実装したプリント基板と、前記レンズ鏡筒ユニットと前記照明手段の間に配設され、かつ、前記ドームカバーに当接する円環状に形成された遮光部材と、を備えた撮像装置において、前記遮光部材は、前記照明手段を内包し、かつ、前記照明手段の照射方向に開口部を有すること、を特徴とする撮像装置。
【請求項２】
前記遮光部材は、発泡体または弾性体であることを特徴とする請求項１に記載の撮像装置。
【請求項３】
前記照明手段は、赤外光投光素子であることを特徴とする請求項１に記載の撮像装置。
【請求項４】
前記プリント基板を支持する支持部材を有し、該支持部材は、前記レンズ鏡筒ユニット周囲を覆うように具備されると共に、前記プリント基板及び前記遮光部材と一体となって前記レンズ鏡筒ユニット光軸方向に移動可能であることを特徴とする請求項１乃至請求項３の何れか一項に記載の撮像装置。
【請求項５】
少なくとも１つの導光部材を具備し、該導光部材は前記照明手段に対向するように配設されることを特徴とする請求項１乃至請求項３の何れか一項に記載の撮像装置。
【請求項６】
前記導光部材は鍔部を有し、該鍔部は前記遮光部材と前記プリント基板に挟持されることを特徴とする請求項５に記載の撮像装置。
【発明の詳細な説明】
【技術分野】
【０００１】
本発明は、照明手段を搭載したネットワークカメラに関する。
【背景技術】
【０００２】
近年、ネットワークカメラにおいて、暗所での撮影が可能な赤外線照明内蔵でありながら、いたずらや破壊行為などで大きな衝撃が加えられても壊れることなく稼働し続けられる耐衝撃モデルが求められている。高い耐衝撃性を実現するモデルでは、外装には金属が使われることが多く、また撮影範囲部には高い耐衝撃性を有する樹脂からなる透明なカバーが使われる。
【０００３】
一般的に、外部から大きな衝撃が加えられた時、金属外装は変形しないが、透明カバーは機体内側に向かって変形する。レンズ鏡筒ユニットやその他部品は、変形した透明カバーに接触破壊されるのを防ぐため、透明カバーの変形分を避けるように透明カバーから離れた位置に配置する必要がある。
【０００４】
一方、赤外線照明光は、透明カバー内面および透明カバー肉厚内で反射し、撮影画像へ映り込むことがある。このような映り込みを防ぐため、赤外線照明内蔵モデルでは、特許文献１に記されているような遮光部材が機体内に設けられる。
【０００５】
しかし、特許文献１のような遮光部材を透明カバーに密着させた構造では、外部からの衝撃が、透明カバーと遮光部材を通して衝撃に弱いレンズ鏡筒ユニットに伝わり、レンズ鏡筒ユニットが破壊される可能性がある。そのため、赤外線照明内蔵と耐衝撃性を両立するには、赤外線照明がドームカバーと干渉するのを防ぐよう、赤外線照明を機体内の光軸方向後方に配置し、さらに衝撃がレンズ鏡筒ユニットに伝わらないような構造にする必要がある。
【先行技術文献】
【特許文献】
【０００６】
【特許文献１】特開２００５−１３６８００号公報
【発明の概要】
【発明が解決しようとする課題】
【０００７】
しかしながら、赤外線照明光は撮影範囲に応じた照射角を持っており、機体の光軸方向後方に配置された場合、特に小型化を進める際に、レンズ鏡筒ユニットやその他の部品が赤外線照明光の一部を遮光し、照射範囲を狭めてしまう問題がある。また、これらの遮光は撮影映像において赤外線照明の照射ムラとなり、映像品質を低下させてしまう。
【課題を解決するための手段】
【０００８】
上記の課題を解決するために、本発明に係る撮像装置は、
レンズ鏡筒ユニットと、透明状のドームカバーと、前記レンズ鏡筒ユニットの周囲かつ前記ドームカバーに内包される少なくとも１つの照明手段を実装したプリント基板と、前記レンズ鏡筒ユニットと前記照明手段の間に配設され、かつ、前記ドームカバーに当接する略円環状に形成された遮光部材と、を備えた撮像装置において、前記遮光部材は、前記照明手段を内包し、かつ、前記照明手段の照射方向に開口部を有することを特徴とする。
【発明の効果】
【０００９】
本発明に係る撮像装置によれば、照明手段を搭載したネットワークカメラにおいて、小型でありながら高い耐衝撃性を備えると共に良好な撮影映像を得ることが可能となる。
【図面の簡単な説明】
【００１０】
【図１】本発明を適用したネットワークカメラの外観図及び分解斜視図である。
【図２】本発明を適用したネットワークカメラにおけるカメラユニットの分解斜視図である。
【図３】本発明を適用したネットワークカメラの断面図である。
【図４】本発明を適用したネットワークカメラにおける照明手段周辺の断面図である。
【発明を実施するための形態】
【００１１】
以下に、本発明の好ましい実施の形態を、添付の図面に基づいて詳細に説明する。
【００１２】
図１は本発明を適用したネットワークカメラの外観図及び分解斜視図である。
【００１３】
外観は、上カバー１０３、下カバー１０２、ドームカバー１０１から構成され、ドームカバーはカメラユニット２の撮影可能範囲前方に配置された略半球状の透明部材である。筺体内には、カメラユニット２の他に不図示のプリント基板が具備され、プリント基板には、映像処理エンジン、通信処理エンジン、メモリ、電源系ＩＣなどが配設され、外部インターフェースとして、ＲＪ４５コネクタ、外部入力／出力コネクタ、電源接続コネクタ、音声入力／出力コネクタ、ビデオアウトコネクタ、ＳＤカードなどの外部メモリコネクタなどが実装されている。
【００１４】
また、ヒーター、マイク、スピーカー、ＬＥＤ、モーターなどの電気部品を具備し、各電気部品間は電気ケーブルやＦＰＣ、ＦＦＣなどで接続されている。
【００１５】
図２は本発明を適用したネットワークカメラにおけるカメラユニットの分解斜視図である。
【００１６】
２０１は、レンズ群、レンズホルダー、プリント基板、撮像素子などを備えたレンズ鏡筒ユニットである。２０４は、少なくとも１つの照明手段２０４ａを配設したプリント基板であり、レンズ鏡筒ユニット２０１の周囲かつドームカバー１０１に内包されるように配設されている。照明手段２０４ａの照射方向は、レンズ鏡筒ユニット２０１光軸方向が一般的ではあるが、それ以外の方向でもよい。プリント基板２０４の形状は、図では略円環状で示しているが、円環を任意に分割した形状や多角形としてもよい。
【００１７】
２０３は、照明手段２０４ａから発せられる光を集光または拡散する導光部材であり、照明手段２０４ａの照射方向に配設される。導光部材２０３の材質は、樹脂、ゴムなどであり、照明手段２０４ａから発せられる光を透過可能である。導光部材２０３は、照明手段２０４ａの照射範囲を変更する必要がない場合は具備されなくてもよい。２０２は、照明手段２０４ａから発せられる光がレンズ鏡筒ユニット２０１内に入り込み、撮影映像に映り込むことを防ぐ遮光部材である。２０２ａは、照明手段２０４ａの照射方向に形成された遮光部材２０２上の開口部である。
【００１８】
２０５は、遮光部材２０２と導光部材２０３とプリント基板２０４を支持する支持部材である。不図示ではあるが、遮光部材２０２と導光部材２０３とプリント基板２０４は、両面テープ、接着剤などの固定手段により支持部材２０５に固定される。支持部材２０５は、チルトベース２０７に対してレンズ鏡筒ユニット２０１光軸方向に移動可能であり、凸部２０５ａと溝部２０７ａの摺動により円滑に動く。移動可能とする手段は、１つに限らず複数でもよく、また移動可能とする手段としての機能を発揮可能な限りにおいては任意の構造でよい。２１１は、ビスなどの固定手段により上カバー１０３に固定されるメインベースである。
【００１９】
２０８は、メインベース２１１に対して、パン回転軸Ｐを中心にパン動作可能なパンベースである。パン動作の構造については、不図示ではあるが、ウェーブワッシャーや板金などの弾性力を持った部品で固定する構造、ビスで固定する構造、ギアを使った噛み合い構造、さらにギアの回転をモーターで電子制御した構造などがある。
【００２０】
２０９は、パンベース２０８をメインベース２１１に対してパン動作可能にするための固定部材である。２０７は、パンベース２０８とレンズ鏡筒ユニット２０１をチルト回転軸Ｔを中心にチルト動作可能にするチルトベースである。レンズ鏡筒ユニット２０１は、チルトベース２０７にビスなどの固定手段により固定される。プリント基板２０４は、チルトベース２０７に両面テープ、接着剤などの固定手段により固定される。２１０は、パンベース２０８とチルトベース２０７がチルト回転軸  Ｔを中心に回転できるように固定する固定部材である。固定部材２１０には、ビス、平座金、ばね座金を使用して保持力を発揮する構造や弾性体を挟んで保持力を発揮する構造などがある。
【００２１】
２０６は、遮光部材２０２をレンズ鏡筒ユニット２０１光軸前方方向に付勢するばねである。図では、１つのばね２０６で付勢し、ばね２０６中心とレンズ鏡筒ユニット２０１の中心が一致しているものを示しているが、ばね２０６の中心とレンズ鏡筒ユニット２０１の中心は一致している必要はなく、ばね２０６の数は複数でもよい。ばね２０６による支持部材２０５の付勢構造は、本発明に必須な構造ではないが、後述する通り耐衝撃性の面でより効果的である。また、不図示ではあるが、プリント基板２０４は、電気ケーブル、ＦＰＣ、ＦＦＣなどの接続手段により、映像エンジンなどが実装された基板に接続される。その間に中継基板を経由して接続されてもよい。
【００２２】
図３は本発明を適用したネットワークカメラの断面図である。
【００２３】
遮光部材２０２はばね２０６の付勢または遮光部材２０２自身の変形によりドームカバー１０１に密着する。ドームカバー１０１に密着することで照明手段２０４ａから発せられる光がレンズ鏡筒ユニット２０１に映り込むのを防ぐ。遮光部材２０２のドームカバー１０１との密着面は、ドームカバー１０１内壁に面接触でも線接触でもよい。遮光部材２０２は、剛体でもよいが、ドームカバー１０１との密着性向上、ドームカバー１０１への傷防止、レンズ鏡筒ユニット２０１への衝撃吸収力向上のため、弾性体や発泡体が望ましい。
【００２４】
支持部材２０５は、レンズ鏡筒ユニット２０１やチルトベース２０７から前方に外れないようにフランジ２０５ｂ、フランジ２０１ａで可動範囲を規制され、ばね２０６により付勢される。フランジ２０５ｂ、フランジ２０１ａ以外にチルトベース２０７にフランジを付けてもよい。外部からの衝撃が加えられドームカバー１０１が変形した時、支持部材２０５は、遮光部材２０２、プリント基板２０４と一体となって、図３（Ａ）第１の姿勢から図３（Ｂ）第２の姿勢や図３（Ｃ）第３の姿勢に変化し、衝撃に弱いレンズ鏡筒ユニット２０１が破壊されることを防ぐ。照明手段２０４ａは、ドームカバー１０１に近接している方が、レンズ鏡筒ユニット２０１などの部品による遮光が抑えられる。これは、撮影映像の照射ムラ抑制に繋がる。
【００２５】
図４は本発明を適用したネットワークカメラにおける 照明手段周辺の断面図である。図４（Ａ）は導光部材２０３を具備しない場合、図４（Ｂ）は導光部材２０３を具備した場合の図である。
【００２６】
開口部２０２ａは、照明手段２０４ａから発せられる光を遮ることなくレンズ鏡筒ユニット２０１の撮影画角を照射することで、照射ムラを防ぐことが可能である。照明手段２０４ａの照射角は、図４（Ａ）、（Ｂ）のように撮影画角より広いことが望ましいが、撮影画角より狭くてもよい。また、照明手段２０４ａの照射方向は、一般的にレンズ鏡筒ユニット２０１光軸方向であるが、光軸から傾いた方向でもよい。
【００２７】
また、図４（Ｂ）において、照明手段２０４ａから発せられた光は、導光部材２０３で拡散、集光され、照射される。導光部材２０３は、鍔部２０３ａを有すると共に、該鍔部２０３ａは遮光部材２０２とプリント基板２０４に挟持される。もちろん導光部材２０３の保持方法はこれに限定されるものではない。
【符号の説明】
【００２８】
１０１  ドームカバー、２０１  レンズ鏡筒ユニット、２０２  遮光部材、
２０２ａ  開口部、２０４  プリント基板、２０４ａ  照明手段
【図１】
2017163302.tif 000003
【図２】
2017163302.tif 000004
【図３】
2017163302.tif 000005
【図４】
2017163302.tif 000006